(57)【要約】【課題】辞書がなくても低コストで関連付けが行え、同時に関連付けされた情報を辞書を作るための基礎データとできるようにすること。【解決手段】１つ以上のコンテンツ（１）  、（２）  、・・・と、前記コンテンツ（１）  、（２）  、・・・間の関連情報を制御する関連情報制御手段２ａと、前記関連情報を格納する格納手段４ａと、前記関連情報をランキング検索するランキング検索手段３ａとを備え、前記ランキング検索手段３ａは、複数に分けた項目別にランキング値を求め、前記関連情報制御手段２ａで前記求めたランキング値のトータルランキングを求める。【選択図】        図１
2004171340.tif 000002
【特許請求の範囲】
【請求項１】
１つ以上のコンテンツと、
前記コンテンツ間の関連情報を制御する関連情報制御手段と、
前記関連情報を格納する格納手段と、
前記関連情報をランキング検索するランキング検索手段とを備え、
前記ランキング検索手段は、複数に分けた項目別にランキング値を求め、前記関連情報制御手段で前記求めたランキング値のトータルランキングを求めることを特徴とする関連情報検索作成装置。
【請求項２】
前記ランキング検索手段で、複数に分けた項目別にランキング値を求め、前記求めたランキング値を前記格納手段に保存することを特徴とする請求項１記載の関連情報検索作成装置。
【請求項３】
前記ランキング検索手段で、前記ランキング検索時にランキング値を得ると同時に前記ランキング検索結果の統計情報を収集することを特徴とする請求項１又は２記載の関連情報検索作成装置。
【請求項４】
前記格納手段に、コンテンツ内の兄弟関係及び親子関係の情報を付加して格納できるようにすることを特徴とする請求項１〜３のいずれかに記載の関連情報検索作成装置。
【請求項５】
前記ランキング検索結果から構築した関連情報を使用し、関連付けを行う辞書を作る情報を提供することを特徴とする請求項１〜４のいずれかに記載の関連情報検索作成装置。
【発明の詳細な説明】
【０００１】
【発明の属する技術分野】本発明は、１つ以上のコンテンツ間を関連付けるのに辞書がなくても低コストで関連付けを行うことができる関連情報検索作成装置に関する。
【０００２】
現在あるコンテンツ（データベース、サービス等）の多くは、単独のコンテンツとして設計されており、他のコンテンツとの統合を前提に設計されていない。これは他のコンテンツとの統合は容易でないことを意味する。コンテンツ数と各コンテンツが抱えるデータが少ない状態であれば、統合されていなくても各コンテンツがそれぞれの役割を果たしていれば統合の必要性は低い。しかし、現在コンテンツ数が増えその各コンテンツが抱えるデータが増加する状態では、統合なしでは利用者への負担が増え、便利なコンテンツが不便なコンテンツになりかねない状態である。そこで、コンテンツを統合し検索やコンテンツのナビゲージョン等が出来ることが望まれている。
【０００３】
【従来の技術】従来、コンテンツとコンテンツを関連付けるのに、一番簡単な方法は共有な識別子を使用することである。これは、従業員番号など意味付けされた識別子がすでに存在する時に利用できる。この様な共有な識別子がないコンテンツ同士の関連付けはそれぞれが持つ識別子の対応表（変換テーブル等）を作ることで関連付けが可能になる。これは１対１の場合であり、多対多に対応するためには、変換テーブル等が多くなるため関係を管理する仕組みが必要になる。これらの関係情報管理技術はすでにいろんな技術が存在してさほど問題になることはない。問題になるのは、コンテンツの関連付け技術である。従来技術では、辞書を使ってコンテンツを解析することで、関連付けを行うのが一般的であった（例えば、特許文献１参照）。
【０００４】
【特許文献１】
特開２００１−３４６３０号公報
【０００５】
【発明が解決しようとする課題】上記従来のものは、次のような課題があった。
【０００６】
従来技術では、コンテンツとコンテンツの関連付けを行うために辞書が重要であり、辞書の充実度が関連付けの性能を左右していた。これは、辞書を充実させないと性能が悪いことを意味する。しかし、辞書の充実にはコストがかかるため簡単に導入するこができないものであった。
【０００７】
本発明はこのような従来の課題を解決し、辞書がなくても低コストで関連付けが行え、同時に関連付けされた情報は辞書を作るための基礎データとなるため、辞書作成のコストを削減することを目的とする。
【０００８】
【課題を解決するための手段】図１は本発明の原理説明図である。図１において、（１）  、（２）  、・・・はコンテンツ、２ａは関連情報制御手段、３ａはランキング検索手段、４ａは格納手段である。
【０００９】
本発明は、上記従来の課題を解決するため次のような手段を有する。
【００１０】
（１）：１つ以上のコンテンツ（１）  、（２）  、・・・と、前記コンテンツ（１）  、（２）  、・・・間の関連情報を制御する関連情報制御手段２ａと、前記関連情報を格納する格納手段４ａと、前記関連情報をランキング検索するランキング検索手段３ａとを備え、前記ランキング検索手段３ａは、複数に分けた項目別にランキング値を求め、前記関連情報制御手段２ａで前記求めたランキング値のトータルランキングを求める。このため、トータルランキングにより辞書がなくても低コストで関連付け（コンテンツの統合）を行うことができる。
【００１１】
（２）：前記（１）の関連情報検索作成装置において、前記ランキング検索手段３ａで、複数に分けた項目別にランキング値を求め、前記求めたランキング値を前記格納手段４ａに保存する。このため、部分的なランキング結果を再検索なしに参照することができる。
【００１２】
（３）：前記（１）又は（２）の関連情報検索作成装置において、前記ランキング検索手段３ａで、前記ランキング検索時にランキング値を得ると同時に前記ランキング検索結果の統計情報を収集する。このため、統計情報により、求めたランキング値を変更して最終的なランキング値を求めることで、より正確なランキングを行うことが可能になる。
【００１３】
（４）：前記（１）〜（３）の関連情報検索作成装置において、前記格納手段４ａに、コンテンツ内の兄弟関係及び親子関係の情報を付加して格納できるようにする。このため、兄弟関係などの関係を辿る操作が可能となり、これを利用したランキングが可能となりランキング精度を向上することができる。
【００１４】
（５）：前記（１）〜（４）の関連情報検索作成装置において、前記ランキング検索結果から構築した関連情報を使用し、関連付けを行う辞書を作る情報を提供する。このため、関連付けを行う辞書を作成するための元情報の自動構築が行なえるようになる。
【００１５】
【発明の実施の形態】（１）：関連情報検索作成装置の説明
図２は関連情報検索作成装置の説明図である。図２において、関連情報検索作成装置には、関連情報制御部２、ランキング検索部３、関連情報４、コンテンツ制御部１１、１２・・・、コンテンツ（１）  、（２）  ・・・が設けてある。
【００１６】
関連情報制御部２は、コンテンツの関連情報を制御する手段である。ランキング検索部３は、関連情報をランキング検索する手段である。関連情報４は、コンテンツの関連情報（ランキング検索した情報）を格納する手段である。コンテンツ制御部１１、１２・・・は、それぞれのコンテンツ（１）  、（２）  ・・・の情報の取り出し格納等の制御を行うものである。コンテンツ（１）  、（２）  ・・・は、関係付けが行われるデータベース等のコンテンツである。
【００１７】
（検索について）
関連情報がすでに格納されているとして、どのような手段を使用して統合的な検索を行なうかである。高度な検索を行なうためには、辞書作成などのコストがかかる。
【００１８】
そこで図２のように１つ以上のコンテンツ（コンテンツ（１）  、（２）  ・・・）とそれを制御する手段（コンテンツ制御部１１、１２・・・）と、コンテンツの関連情報を制御する手段（関連情報制御部２）と、その関連情報を格納する手段（関連情報４）と、関連情報をランキング検索する手段（ランキング検索部３）を備えるように構成する。
【００１９】
関連情報４には、すべてのコンテンツの検索や関連に必要な情報を各要素毎に項目分けして格納する。これら情報には大きく分けて次の３種類がある。
【００２０】
・関連付け情報
・時間などの曖昧性が少ない特定の状態を示す情報。（情報Ａ）
・自然言語で記述させ曖昧な情報。（情報Ｂ）
この状態から、関連情報を検索することで統合検索（全体で関連があるかどうかを調べる検索）を行う。検索を行なう手段はランキング検索部３のランキング検索で、
情報Ａに対しては、完全一致的なランキング（一致していれば点数を高く、
少しずれていれば点数を下げる）を
情報Ｂに対しては、検索情報を単語（キーワード）等の単位に分割した文字
でのランキングを
行ない統合した形でランキングし順位付けを行う。
【００２１】
（関連付けについて）
コンテンツとコンテンツを関連付けるのに、ＧＵＩ（Ｇｒａｐｈｉｃａｌ  Ｕｓｅｒ  Ｉｎｔｅｒｆａｃｅ）を使用して関連付け操作をできるだけ意識させずに関連付ける手段がある。これは、関連付け対象の候補を表示させその中から選択させるものである。ここで問題になるのが、候補の選出と表示順であり、本発明の発明部分である。また、ＧＵＩを使用せずに関連付け選択装置を使用し自動で関連付けを行なっても良い。
【００２２】
ここでの候補の選出と提示であるが、検索で使用した技術をそのまま利用することで実現できる。通常の検索も関連付けをするための検索も、欲しい情報を探すと言う意味で等しい存在である。
【００２３】
関連付けするデータが確定したら、関連情報４内に関連付けた情報とコンテンツの検索に必要な情報を格納する。確定しない場合は、コンテンツの検索に必要な情報を格納する。
【００２４】
（ランキング値の保存の説明）
上記「検索について」では、統合したランキングだけの提示であり、部分的なランキング結果を元にした順位付けを参照したい場合は、新たな検索を行なう必要がある。そこで複数に分けた項目別にランキング値を求め保存しておくことにより、部分的なランキング結果を再検索なしに参照することを可能にすることができる。
【００２５】
（統計情報の収集の説明）
関連情報をランキング検索する手段において、検索時にランキング値を得ると同時に統計情報を収集する。この情報を提示することにより、検索結果に含まれる情報の統計的傾向を知ることができる。
【００２６】
また、関連情報をランキング検索する手段において、検索時にランキング値を得ると同時に収集した統計情報を利用して最終的なランキング値を求めることでより正確なランキングが可能となる。
【００２７】
（兄弟／親子関係の説明）
図３は兄弟／親子関係の説明図である。図３において、Ａは親、Ａ１〜Ａ５はＡの子供である。従って、Ａ１〜Ａ５は兄弟関係を現すことになる。例として、○×開発の打合せＡに対し一回目の打合せＡ１、二回目の打合せＡ２、三回目の打合せＡ３、四回目の打合せＡ４、五回目の打合せＡ５があるとする。兄弟関係は、例えば一回目の打合せＡ１の個人スケジユールは二回目の打合せＡ２の個人スケジユールの兄（逆にＡ２はＡ１の弟）であり、二回目の打合せＡ２の個人スケジユールは三回目の打合せＡ３の個人スケジユールの兄であり、三回目の打合せＡ３の個人スケジユールは四回目の打合せＡ４の個人スケジユールの兄であり、四回目の打合せＡ４の個人スケジユールは五回目の打合せＡ５の個人スケジユールの兄である。そして、各打合せＡ１、Ａ２、Ａ３、Ａ４、Ａ５の個人スケジユールはそれぞれ○×開発の打合せＡとは親子関係にあることになる。
【００２８】
関連付け時に、関連付けはしないが情報の流用をしたい場合がある（例えば、コンテンツが打合せスケジュールの場合、前の打合せスケジュールの流用をしたい場合がある。）、これはＧＵＩにおけるデータ入力を軽減させる手段である。この行為を関連付けの立場からみると似ている情報であることを示す行為である。つまり、そこには兄弟や親子などの関係である可能性がある。そこで流用させる場合に、他人や兄弟や親子などの関係付け情報を付加し、関連情報に格納する。これにより関連情報で関係を辿る操作が可能となる。
【００２９】
また、関連情報に付加した兄弟などの関係付けを行なったことにより、それを利用したランキングが可能になりランキング精度が向上することができる。
【００３０】
さらに、兄弟や親子などの関係付けを利用することでランキングの精度が向上するが、自動で付けた情報と手動で付けた情報を同レベルで扱うとどうしても自動で付けた情報を使った場合、精度が悪くなる。そこで関係付けにレベル（質、精度のレベル等）を設け、手動の場合はランキング値（統合的ランキング）が上がるなど影響するようにできる。
【００３１】
（辞書作成の説明）
構築した関連情報には、表記が異なっていても同一であることを示す情報が大量に格納される。この情報を取り出し辞書化することにより、辞書を使用した関連付けの辞書として利用できる。
【００３２】
このように、本発明では、関連付けのために辞書などの構築に手間がかかる手段を使用せずに代わりにランキング検索を使用することで、関連情報の検索や作成を行なうことによりコンテンツの統合を容易にすることができる。それと同時に、辞書を使用した関連付けのための辞書の情報になる元情報の自動構築が行なえる。
【００３３】
（２）：絵画データベースαと絵画データベースβの関連付けの説明
絵画データベースαと絵画データベースβがある。それぞれ、同じ絵画のデータベースであるが別々に作られた物であり用途が異なる。これらを一つにし統合できればデータベースの管理コストの削減が行なえる。そのためには、第一ステップとして関連付けを行なう必要がある。
【００３４】
図４は絵画データベースαと絵画データベースβの関連付けの説明図である。図４において、絵画データベースαと絵画データベースβに格納している絵画データを関連情報検索作成装置により関連付けをした関連情報４を作成するものである。
【００３５】
図５は関連情報の作成処理フロ−である。以下、図５の処理Ｓ１〜Ｓ９に従って説明する。
【００３６】
Ｓ１：絵画データベースβのコンテンツ制御部は、絵画データベースβから一つづつデータを取り出し、処理Ｓ２に移る。
【００３７】
Ｓ２：関連情報制御部２は、絵画データベースβから取り出したデータから検索条件を作成し、処理Ｓ３に移る。
【００３８】
Ｓ３：ランキング検索部３は、絵画データベースαから重み付けを考慮した検索（ランキング検索）を行い、処理Ｓ４に移る。
【００３９】
Ｓ４：関連情報制御部２は、検索結果から自動判定を行うかを判断し、自動判定の場合は処理Ｓ５に移り、自動判定でない（手動判定）場合は処理Ｓ６に移る。
【００４０】
Ｓ５：関連情報制御部２は、自動判定を行い、処理Ｓ７に移る。
【００４１】
Ｓ６：ユーザーは、手動で判定を行い、処理Ｓ７に移る。
【００４２】
Ｓ７：前記処理Ｓ５又は処理Ｓ６の判定結果で一致（関連がある）する場合は処理Ｓ８に移り、一致しない場合は処理Ｓ９に移る。
【００４３】
Ｓ８：関連情報制御部２は、関連情報データベース（関連情報４）に新しいデータを作り関係があることを登録し、処理Ｓ９に移る。
【００４４】
Ｓ９：関連情報制御部２は、まだ取り出すデータがあるかどうかを判断し、取り出すデータがまだある場合は処理Ｓ１に戻り、ない場合はこの処理を終了する。
【００４５】
（関連情報の作成の具体的手順の説明）
絵画データベースα又は絵画データベースβのどちらか一方を親、逆側を子とする。
【００４６】
親の情報から関連付けされていない関連情報を作成する。
【００４７】
2004171340.tif 000003
【００４８】
図６（ａ）のように、各要素である絵画ＩＤ毎に情報ランキング検索の結果が求まる。これを元に次のようなルールを使用してトータルランキング（各ランキング値を加算）を求める。
【００４９】
2004171340.tif 000004
【００５０】
※１；これは、作者名が入力ミス等で正確なデータでない場合に完全一致しないため検索で取り出すことができない。そこで性と名に分けての検索だと、取り出せる可能性が向上させることができる。しかし、これは作者名に正確なデータが入っている場合は検索結果にゴミを増やすだけなので、通常では使用しないか、使用する場合でもランキング値は低めに設定する性質の条件である。
【００５１】
なお、「｛」は処理の始め、「｝」は処理の終わりを示し、「｝」の段（列）の位置から記載が始まる前の処理がその処理の始まりを示している。
【００５２】
（３）：個人ベースのスケージュールの関連付けの説明
複数の個人ベースのスケジュールデータベースがある。その個人個人のスケジュールから同じスケジュールを統合させることで、よりグループウェアとしての利用価値が増す。そのためには、スケジュール同志しの関連付けを行なう必要がある。
【００５３】
図７は個人スケジュールデータベースを関連付けする関連情報作成の説明図である。図７において、個人スケジュールデータベース（１）  〜（ｎ）  に格納している個人スケジュールデータベースを関連情報検索作成装置により関連付けをした関連情報４を作成するものである。
【００５４】
図８は個人スケジュールから関連情報へのアクセス開始時の処理フロ−である。以下、図８の処理Ｓ１１〜Ｓ２２に従って説明する。
【００５５】
Ｓ１１：個人スケジュール（例えば、個人スケジュールデータベース（１）  の）から関連情報４へのアクセスが開始されると、関連情報制御部２は、関連情報４データベース内を検索し、関連情報がある場合は処理Ｓ２２に移り、ない場合は処理Ｓ１２に移る。
【００５６】
Ｓ１２：関連情報制御部２は、個人スケジュールデータから検索条件を作成し、処理Ｓ１３に移る。
【００５７】
Ｓ１３：ランキング検索部３は、関連情報４データベースから重み付けを考慮した検索（他の個人スケジュールとのランキング検索）を行い、処理Ｓ１４に移る。
【００５８】
Ｓ１４：関連情報制御部２は、検索結果から自動判定を行うかを判断し、自動判定の場合は処理Ｓ１５に移り、自動判定でない（手動判定）場合は処理Ｓ１６に移る。
【００５９】
Ｓ１５：関連情報制御部２は、自動判定を行い、処理Ｓ１７に移る。
【００６０】
Ｓ１６：ユーザーは、手動によるユーザー判定を行い、処理Ｓ１７に移る。
【００６１】
Ｓ１７：前記処理Ｓ１５又は処理Ｓ１６の判定結果で一致する（関連する）場合は処理Ｓ１８に移り、一致しない場合は処理Ｓ１９に移る。
【００６２】
Ｓ１８：関連情報制御部２は、関連情報４（関連情報データベース）に（既存の要素と）関係があることを登録し、処理Ｓ２２に移る。
【００６３】
Ｓ１９：関連情報制御部２は、関連情報データベースに新しいデータ（要素）を作り、該新しいデータと関連があることを登録し、処理Ｓ２０に移る。
【００６４】
Ｓ２０：関連情報制御部２（又はユーザー）は、兄弟になる関連情報（例えば、打合せの場合は前回の打合せは「兄」、次回の打合せは「弟」）があるかどうか判断し、ある場合は処理Ｓ２１に移り、ない場合は処理Ｓ２２に移る。
【００６５】
Ｓ２１：関連情報制御部２は、関連情報４に兄弟関係等の関係を登録し、処理Ｓ２２に移る。
【００６６】
Ｓ２２：関連情報制御部２は、関連情報をアクセス対象者に返し、処理を終了する。
【００６７】
（関連情報の作成の具体的手順の説明）
（タイミング）個人のスケジュールから関連付けされたスケジュールへの参照要求時や、個人のスケジュール生成時などをトリガーにして関連付けは行なわれる。
【００６８】
2004171340.tif 000005
【００６９】
図９（ａ）のように情報ランキング検索の結果が求ま        る。これを元に次のようなルールを使用してトータル        ランキング（各ランキング値を加算）を求める。
【００７０】
2004171340.tif 000006
【００７１】
※２；スケジュールの内容は、書く人によって大きく異なる。しかし、同じ人が同系列の用件の場合は、内容は非常に近い物となる。この性質を考慮したランキングが望まれる。そこでタイトル／内容の一致度が高く開始年月日時の一致がない場合は、タイトル／内容の一致度が高く兄弟の開始年月日時が一致する場合は兄弟をそうでない場合は自分のランキング値を高くすることで、それに近付けることができる。また、兄弟関係が自動で付けられたものか手動で付けたものかを区別し、手動の場合は精度が良くなるためランキング値を高くすることも有効である。このように、個人のスケジュールを関連付けることにより、スケジュールの変更や連絡事項の通知等を容易に行うことができるようになる。
【００７２】
以上実施の形態で説明したように、本発明によれば、関連付けるための辞書がなくても、現在構築されている関連情報を重み付けを考慮したランキング検索することに、よりそれらしい候補を提示できるようになる。関連付けを行なうための辞書が構築できるまでは、極めて有用である。
【００７３】
（４）：プログラムインストールの説明
関連情報制御部２、関連情報制御手段２ａ、ランキング検索部３、ランキング検索手段３ａ、コンテンツ制御部１１、１２・・・、関連情報４、格納手段４ａ等はプログラムで構成でき、主制御部（ＣＰＵ）が実行するものであり、主記憶に格納されているものである。このプログラムは、コンピュータで処理されるものである。このコンピュータは、主制御部、主記憶、ファイル装置、表示装置や印刷装置等の出力装置、入力装置などのハードウェアで構成されている。
【００７４】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。これにより、辞書がなくても低コストで関連付けを行うことができる関連情報検索作成装置を容易に提供することができる。
【００７５】
〔以下付記を記載する〕
（付記１）  １つ以上のコンテンツと、
前記コンテンツ間の関連情報を制御する関連情報制御手段と、
前記関連情報を格納する格納手段と、
前記関連情報をランキング検索するランキング検索手段とを備え、
前記ランキング検索手段は、複数に分けた項目別にランキング値を求め、前記関連情報制御手段で前記求めたランキング値のトータルランキングを求めることを特徴とする関連情報検索作成装置。
【００７６】
（付記２）  前記ランキング検索手段で、複数に分けた項目別にランキング値を求め、前記求めたランキング値を前記格納手段に保存することを特徴とする付記１記載の関連情報検索作成装置。
【００７７】
（付記３）  前記ランキング検索手段で、前記ランキング検索時にランキング値を得ると同時に前記ランキング検索結果の統計情報を収集することを特徴とする付記１又は２記載の関連情報検索作成装置。
【００７８】
（付記４）  前記関連情報制御手段は、前記統計情報により、前記求めたランキング値を変更することを特徴とする付記３記載の関連情報検索作成装置。
【００７９】
（付記５）  前記格納手段に、コンテンツ内の兄弟関係及び親子関係の情報を付加して格納できるようにすることを特徴とする付記１〜４のいずれかに記載の関連情報検索作成装置。
【００８０】
（付記６）  前記関連情報制御手段は、前記兄弟関係又は親子関係の情報に基づき、前記ランキング値を変更して関連情報を取り出すことを特徴とする付記５記載の関連情報検索作成装置。
【００８１】
（付記７）  前記関連情報制御手段は、前記格納手段に兄弟関係又は親子関係の情報に精度のレベルを追加し、その情報に基づき、前記ランキング値を変更して関連情報を取り出せるようにすることを特徴とする付記５又は６記載の関連情報検索作成装置。
【００８２】
（付記８）  前記ランキング検索結果から構築した関連情報を使用し、関連付けを行う辞書を作る情報を提供することを特徴とする付記１〜７のいずれかに記載の関連情報検索作成装置。
【００８３】
（付記９）  １つ以上のコンテンツ間の関連情報を制御する関連情報制御手段と、
前記関連情報を格納する格納手段と、
複数に分けた項目別に前記関連情報をランキング検索してランキング値を求めるランキング検索手段と、
前記複数に分けた項目別に求めたランキング値のトータルランキングを求める関連情報制御手段として、コンピュータを機能させるためのプログラム又はプログラムを記録したコンピュータ読取可能な記録媒体。
【００８４】
【発明の効果】以上説明したように、本発明によれば次のような効果がある。
【００８５】
（１）：ランキング検索手段で、複数に分けた項目別にランキング値を求め、関連情報制御手段で前記求めたランキング値のトータルランキングを求めるため、トータルランキングにより辞書がなくても低コストで関連付け（コンテンツの統合）を行うことができる。
【００８６】
（２）：ランキング検索手段で、複数に分けた項目別にランキング値を求め、前記求めたランキング値を格納手段に保存するため、部分的なランキング結果を再検索なしに参照することができる。
【００８７】
（３）：ランキング検索手段で、ランキング検索時にランキング値を得ると同時に前記ランキング検索結果の統計情報を収集するため、統計情報により、求めたランキング値を変更して最終的なランキング値を求めることで、より正確なランキングを行うことが可能になる。
【００８８】
（４）：格納手段に、コンテンツ内の兄弟関係及び親子関係の情報を付加して格納できるようにするため、兄弟関係などの関係を辿る操作が可能となり、これを利用したランキングが可能となりランキング精度を向上することができる。
【００８９】
（５）：ランキング検索結果から構築した関連情報を使用し、関連付けを行う辞書を作る情報を提供するため、関連付けを行う辞書を作成するための元情報の自動構築が行なえるようになる。
【図面の簡単な説明】
【図１】本発明の原理説明図である。
【図２】実施の形態における関連情報検索作成装置の説明図である。
【図３】実施の形態における兄弟／親子関係の説明図である。
【図４】実施の形態における絵画データベースαと絵画データベースβの関連付けの説明図である。
【図５】実施の形態における関連情報の作成処理フロ−である。
【図６】実施の形態におけるランキング検索結果の説明図である。
【図７】実施の形態における個人スケジュールデータベースを関連付けする関連情報作成の説明図である。
【図８】実施の形態における個人スケジュールから関連情報へのアクセス開始時の処理フロ−である。
【図９】実施の形態におけるランキング検索結果の説明図である。
【符号の説明】
（１）  、（２）  、・・・  コンテンツ
２ａ  関連情報制御手段
３ａ  ランキング検索手段
４ａ  格納手段
【図１】
2004171340.tif 000007
【図２】
2004171340.tif 000008
【図３】
2004171340.tif 000009
【図４】
2004171340.tif 000010
【図５】
2004171340.tif 000011
【図６】
2004171340.tif 000012
【図７】
2004171340.tif 000013
【図８】
2004171340.tif 000014
【図９】
2004171340.tif 000015